(57)【特許請求の範囲】
【請求項１】
ズボン、スカート等のウエスト部に取付けてウエストサイズの調節を可能とし、上生地に設けられた上生地部ボタン穴にボタンを掛け外し可能に掛止して、上生地と下生地を留め合わせるよう下生地に設けられ、上面部に長孔を有する本体ケースと、該本体ケースの底部に嵌合されるベースと、該ベースの内側に収納される、可動金具及びバネを備え、本体ケース内の可動金具がバネに付勢されスライド可能となる構成とし、可動金具に取付けられるボタンが長孔に沿ってスライド可能となるケース状の調節金具において、
本体ケースの両端部に取付部を備え、
可動金具は、金属板を折曲して、前記バネの一端部に嵌設されるバネ持設部と、可動金具上面部と、該可動金具上面部上に開口部を有して略Ｕ字状に折曲したボタン掛止部を備え、ボタン掛止部は前記長孔より突出し、本体ケースの上面部上に配置したボタン掛止部の開口部に対してボタンのリング部を着脱可能として取着したことを特徴とする調節金具。
【請求項２】
本体ケースの両端部に設けた取付部と、樹脂板とを固着した構成としたことを特徴とする請求項１記載の調節金具。
【請求項３】
ズボン、スカート等のウエスト部に取付けられ、上生地に設けられた上生地部ボタン穴にボタンを掛け外し可能に掛止して、上生地と下生地を留め合わせるよう下生地に設けられるウエストサイズの調節を可能とする調節金具を具備した衣服において、
請求項１又は請求項２に記載の調節金具を、取付手段により、下生地に取着したことを特徴とする衣服。
【発明の詳細な説明】
【技術分野】
【０００１】
本発明は、ズボン、スカート等のウエストサイズの調節を可能とする調節金具及び調節金具を用いた衣服に関するものである。
【背景技術】
【０００２】
従来から、ズボン或いはスカート等の衣服のウエストサイズを調整可能とする構成が知られている。（例えば、特許文献１参照）
【０００３】
特許文献１の発明には、ボタン部をスライド移動させて例えば厚手の生地で成型されたズボンやスカートのウエストサイズを調整できるとともに、衣料への配設が容易となる掛止具、この掛止具を備えた衣料、および、この掛止具の配設方法が開示されている。
また、スライド手段は、ボタン首部の端部が取り付けられるとともにベース部の収納空間内でスライド移動可能なスライダ部を備え、ベース部は、ボタン部が取り付けられた状態のスライダ部を収納空間に出し入れ可能として、スライダ部とともにボタン部を交換することができ、利用者の好みに合わせてボタン部のデザインを替えることができることが開示されている。
また、ボタン部とスライダ部とは別体であっても、一体であってもよいことが開示されている。
更には、ボタン頭部とボタン首部とは一体であってもよく、別体であってもよいことも開示されている。
【特許文献１】特開２００５−２７３０２１号公報
【発明の開示】
【発明が解決しようとする課題】
【０００４】
特許文献１のような構成では、スライダ部とともにボタン部を交換することができ、利用者の好みに合わせてボタン部のデザインを替えることができるが、種々の異なるボタン部とスライダ部を組み合わせたユニットを用意しておかなければ、ボタン部を交換することができない構成であり、従来からあるリング部を備えたボタンを実際には利用者の好みに合わせてボタン部のみの交換ができないおそれがある。
また、ボタン部とスライダ部とは別体である場合、スライダ部と組み合わせることができるボタン部でなければ、実際には利用者の好みに合わせてボタン部のみの交換ができないおそれがある。
また、ボタン頭部とボタン首部とは別体であっても、取付筒部を介してボタン頭部とボタン首部を嵌挿することになり、返って部品点数も増えることになり、更には利用者の好みに合わせて従来からあるリング部を備えたボタン部のみの交換ができないおそれがある。
よって、いずれにおいても、特許文献１のような構成では、利用者の好みに合わせて従来からあるリング部を備えたボタン部のみの交換ができないおそれがある。
【０００５】
そこで、本発明はこのような問題点を解決するものであって、ズボン、スカート等のウエストサイズの調節を可能とする調節金具において、利用者の好みに合わせて従来からあるリング部を備えたボタン部を交換可能とし、ズボン、スカート等のデザインのバリエーションを拡げることができる調節金具及び調節金具を用いた衣服を提供することを課題とする。
【課題を解決するための手段】
【０００６】
前記問題点を解決するために、本発明の請求項１に記載の発明の調節金具は、ズボン、スカート等のウエスト部に取付けてウエストサイズの調節を可能とし、上生地に設けられた上生地部ボタン穴にボタンを掛け外し可能に掛止して、上生地と下生地を留め合わせるよう下生地に設けられ、上面部に長孔を有する本体ケースと、該本体ケースの底部に嵌合されるベースと、該ベースの内側に収納される、可動金具及びバネを備え、本体ケース内の可動金具がバネに付勢されスライド可能となる構成とし、可動金具に取付けられるボタンが長孔に沿ってスライド可能となるケース状の調節金具において、本体ケースの両端部に取付部を備え、可動金具は、金属板を折曲して、前記バネの一端部に嵌設されるバネ持設部と、可動金具上面部と、該可動金具上面部上に開口部を有して略Ｕ字状に折曲したボタン掛止部を備え、ボタン掛止部は前記長孔より突出し、本体ケースの上面部上に配置したボタン掛止部の開口部に対してボタンのリング部を着脱可能として取着したことを特徴とするウエストサイズの調節金具を特徴とするものである。
【０００７】
また、本発明の請求項２に記載の発明の調節金具は、請求項１記載のウエストサイズの調節金具における本体ケースの両端部に設けた取付部と、樹脂板とを固着した構成としたことを特徴とするウエストサイズの調節金具である。
【０００８】
また、本発明の請求項３に記載の発明は、ズボン、スカート等のウエスト部に取付けられ、上生地に設けられた上生地部ボタン穴にボタンを掛け外し可能に掛止して、上生地と下生地を留め合わせるよう下生地に設けられるウエストサイズの調節を可能とする調節金具を具備した衣服において、請求項１又は請求項２に記載の調節金具を、取付手段により、下生地に取着したことを特徴とする衣服を特徴とするものである。
（作用）
【０００９】
請求項１記載の調節金具に係る発明では、ズボン、スカート等のウエスト部に取付けられ、上生地に設けられた上生地部ボタン穴にボタンを掛け外し可能に掛止して、上生地と下生地を留め合わせるよう下生地に設けられるウエストサイズの調節を可能とする調節金具において、可動金具は、金属板を折曲して、前記バネの一端部に嵌設されるバネ持設部と、可動金具上面部と、該可動金具上面部上に開口部を有して略Ｕ字状に折曲したボタン掛止部を備えるため、従来からあるリング部を備えたボタンのみの交換を行うことができる。
【００１０】
請求項２記載の調節金具に係る発明は、請求項１と同様に、ズボン、スカート等のウエスト部に取付けられ、上生地に設けられた上生地部ボタン穴にボタンを掛け外し可能に掛止して、上生地と下生地を留め合わせるよう下生地に設けられるウエストサイズの調節を可能とする調節金具において、可動金具は、金属板を折曲して、前記バネの一端部に嵌設されるバネ持設部と、可動金具上面部と、該可動金具上面部上に開口部を有して略Ｕ字状に折曲したボタン掛止部を備えるため、従来からあるリング部を備えたボタンのみの交換を行うことができる。また、調節金具における本体ケースの両端部に設けた取付部と、樹脂板とを固着した構成としたから、これにより衣服への取り付け操作が容易に行えるようになる。
【００１１】
請求項３記載の衣服に係る発明では、上生地に設けられた上生地部ボタン穴にボタンを掛け外し可能に掛止して、上生地と下生地を留め合わせるよう下生地に設けられるウエストサイズの調節を可能とする調節金具をウエスト部に備え、前記可動金具は、金属板を折曲して、前記バネの一端部に嵌設されるバネ持設部と、可動金具上面部と、該可動金具上面部上に開口部を有して略Ｕ字状に折曲したボタン掛止部を備えるため、従来からあるリング部を備えたボタンのみの交換を行うことができる。
【発明の効果】
【００１２】
請求項１の発明によれば、ズボン、スカート等のウエスト部に取付けてウエストサイズの調節を可能とし、上生地に設けられた上生地部ボタン穴にボタンを掛け外し可能に掛止して、上生地と下生地を留め合わせるよう下生地に設けられ、上面部に長孔を有する本体ケースと、該本体ケースの底部に嵌合されるベースと、該ベースの内側に収納される、可動金具及びバネを備え、本体ケース内の可動金具がバネに付勢されスライド可能となる構成とし、可動金具に取付けられるボタンが長孔に沿ってスライド可能となるケース状の調節金具において、本体ケースの両端部に取付部を備え、可動金具は、金属板を折曲して、前記バネの一端部に嵌設されるバネ持設部と、可動金具上面部と、該可動金具上面部上に開口部を有して略Ｕ字状に折曲したボタン掛止部を備え、ボタン掛止部は前記長孔より突出し、本体ケースの上面部上に配置したボタン掛止部の開口部に対してボタンのリング部を着脱可能として取着したことから、従来からあるリング部を備えたボタンのみの交換を行うことができる。これにより、前記調節金具を用いた衣服において、利用者の好みに合わせてボタン部を交換可能とし、ズボン、スカート等のデザインのバリエーションを拡げることができる。
【００１３】
請求項２の発明によれば、請求項１記載のウエストサイズの調節金具における本体ケースの両端部に設けた取付部と、樹脂板とを固着した構成としたことを特徴とするウエストサイズの調節金具としたから、従来からあるリング部を備えたボタンのみの交換を行うことができる。これにより、前記調節金具を用いた衣服において、利用者の好みに合わせてボタン部を交換可能とし、ズボン、スカート等のデザインのバリエーションを拡げることができる。また、樹脂板を有していることから、衣服への取り付け操作が容易に行えるようになるとともに、前記樹脂板はズボンのウエスト部に沿わすことができる。
【００１４】
請求項３の発明によれば、ズボン、スカート等のウエスト部に取付けられ、上生地に設けられた上生地部ボタン穴にボタンを掛け外し可能に掛止して、上生地と下生地を留め合わせるよう下生地に設けられるウエストサイズの調節を可能とする調節金具を具備した衣服において、
請求項１又は請求項２に記載の調節金具を、取付手段により、下生地に取着したことを特徴とする衣服としたから、従来からあるリング部を備えたボタンのみの交換を行うことができる。これにより、利用者の好みに合わせてボタン部を交換可能とし、ズボン、スカート等のデザインのバリエーションを拡げることができる。また、ボタンは前記ボタン掛止部に可動自在に取付けられており、通常市販品のボタンを掛けるように、容易に嵌めることができるようになる。
また、樹脂板を有していることから、衣服への取り付け操作が容易に行えるようになるとともに、前記樹脂板はズボンのウエスト部に沿わすことができるようにしたものである為、ズボン等の着用時の着装感は損なわれることはない。
【発明を実施するための最良の形態】
【００１５】
以下、本発明の実施の形態における調節金具を図面に基づいて説明する。
【実施例１】
【００１６】
本発明の調節金具７の実施例１における調節金具７ａについて図１乃至図９に基づいて説明する。図２、図３（ａ）及び（ｂ）に示すように、本体ケース２は、所定の板厚の金属板を折曲することにより形成され、上面部２ａ、側面部２ｂ及び端面部２ｃから成るケース状のものである。前記上面部２ａは中央部から前記端面部２ｃにかけて下方に緩やかな曲面を有するもので、中央部より前記端面部２ｃの一端面よりに所定の幅と長さを有する長孔２ｄが設けられている。また前記側面部２ｂは、側面底部２ｅと略台形の側面脚部２ｇを設けるよう切欠部２ｆ及び切欠部２ｈにより切欠されている。また、前記端面部２ｃには、端面底部２ｋから所定寸法だけ上方位置の中央部に端面直線部２ｉが設けられ、前記端面底部２ｋの端部及び前記端面直線部２ｉより、垂直下方へ向けて先端部が針状になるよう、取付部となる端面脚部２ｊが夫々２箇所設けられている。前記端面脚部２ｊ間の隙間は、前記端面脚部２ｊの中央部が最も狭くなるよう形成されており、前記端面直線部２ｉと前記端面脚部２ｊの交点の角部には、ベース５の脚部嵌合部５ａが嵌合する為の、溝部２ｌが設けられている。
【００１７】
可動金具３は、所定の板厚の金属板を折曲することにより形成され、ボタン掛止部３ａ、バネ持設部３ｂ、可動金具側面部３ｃ、可動金具上面部３ｄ及び可動金具端面部３ｅから成る。前記ボタン掛止部３ａは、後に取付けられるボタン６のリング部６ａが外れない程度に上に凸になるよう、開口部３ｇを有して略Ｕ字状に折曲されていればよく、円弧状とすることもできるし、逆Ｖ字形状とすることもできる。また、その幅は前記長孔２ｄの短手方向より小さければよい。また、前記バネ持設部３ｂは前記可動金具上面部３ｄより所定の段差を設けた後に折曲されている。このとき、前記可動金具側面部３ｃの底面との段差は、後に取付けられるバネ４の線形より大きく設けてあれば、前記バネ４を取付けることができる。
【００１８】
バネ４は、所定の線形でバネ幅４ａ、バネ長４ｂ及びバネ高４ｃから成り、外形が略直方体になるよう形成されている。
【００１９】
ベース５は、所定の板厚の長方形の金属板に脚部嵌合部５ａ、底部嵌合部５ｂ、切欠嵌合部５ｃ及び側面脚部嵌合部５ｄを設け、前記ベース５の中央部に一端面から他端面に向けてリブ５ｅが凸設するよう形成されたもので、前記本体ケース２の前記上面部２ａと同様にして中央部から両端部にかけて下方に緩やかな曲面を有するものである。
【００２０】
次に、実施例１における調節金具７ａの組立方法の一例について説明する。
まず、前記可動金具３の前記バネ持設部３ｂを前記バネ４の一端部のバネ幅４ａの内形に嵌設させる。この状態で、前記可動金具３の前記ボタン掛止部３ａの上方に前記本体ケース２の前記長孔２ｄが位置するよう、前記本体ケースを配置した後、前記可動金具３及び前記バネ４を前記本体ケース２の下側より挿設させる。このとき同時に、前記可動金具３のボタン掛止部３ａは前記本体ケース２の長孔２ｄより突出されることになる。また、挿設時に前記可動金具３と前記バネ４の全体寸法が前記本体ケース２の長手寸法よりも大きい場合には、前記バネ４の嵌設されていない端部より前記バネ４を押縮させることで、前記本体ケース２に挿設可能となる。
次に、前記ベース５を前記本体ケース２の下側から嵌合させる。このとき、前記本体ケース２の前記端面直線部２ｉに前記ベース５の前記脚部嵌合部５ａ、前記切欠部２ｆに前記切欠嵌合部５ｃ、前記側面脚部２ｇの外側に前記側面脚部嵌合部５ｄが夫々嵌合され、前記端面脚部２ｊ間の中央部の隙間は、前記脚部嵌合部５ａの外形より僅かに小さく形成されており、前記端面直線部２ｉと前記端面脚部２ｊの交点の角部の前記溝部２ｌに挿設される。また、前記切欠部２ｆは前記切欠嵌合部５ｃの外形より僅かに大きく形成されることで、前記ベース５は前記本体ケース２に嵌合されるようになる。
【００２１】
次に、図４及び図５に示すように、前記実施例１における調節金具７ａは所定の樹脂板８に取付けられた後、ズボン等へと取付けられる。以下、図８を参照にしてズボンへの取付けについて簡便に説明する。
図４に示す前記ボタン６、前記実施例１における調節金具７ａ及び前記樹脂板８において、前記本体ケースに設けられた先端部が針状の前記端面脚部２ｊを前記樹脂板８の所定箇所に刺衝するか又は前記樹脂板８の所定箇所に設けられた孔（図示しない）に嵌め込むことによって、前記樹脂板８に嵌め込んだ後に、前記端面脚部２ｊの根元より、それぞれ前記本体ケース２の長手方向に対して本体ケース２内側に折曲させることで、前記樹脂板８に取付けられる。このとき、図５に示すように、前記ボタン６のリング部６ａを前記実施例１における調整金具７ａの前記ボタン掛止部３ａの前記開口部３ｇより取付けることもできる。
また、前記樹脂板８は前記実施例１における調節金具７ａを前記ズボン１への取付けを容易にするために設けられており、前記ズボン１の着用時における着装感を損なわないよう、前記ズボン１の前記ウエスト部１ａに沿わすことができるようにする為のもので、薄く軟質製のものが好ましい。また、前記樹脂板８に限らず、合板、金属板、厚手の生地及び堅い生地等も使用することができる。
このようにして、前記ボタン６、前記実施例１における調節金具７ａ及び前記樹脂板８から構成される樹脂板付調節金具９が前記ズボン１へ取付けられる際は、図８（ａ）に示すように前記ズボン１の下生地１ｃの表地１ｆに前記樹脂板付調節金具９を合わせ、図８（ｂ）に示すように、下生地ボタン穴１ｅから前記ボタン６を突出させた後、前記ズボン１の前記表地１ｆに裏地１ｇを縫着させる際に、前記樹脂板付調節金具９に設けられた前記樹脂板８の縁側も同時に縫着させることで、前記樹脂板付調節金具９は前記ズボン１に取付けられる。これにより、前記樹脂板付調節金具９は縁側が縫着されているので前記ズボン１の前記下生地１ｃ内において、前後左右へとずれることはない。
【００２２】
本実施例によれば、図１に示すように、前記樹脂板付調節金具９が取付けられた前記ズボン１は、利用者（着衣者）が着衣して、前記ボタン６を前記上生地１ｂの前記上生地部ボタン穴１ｄに掛ける。このとき、前記ボタン６は、前記バネ４の付勢力によって前記樹脂板付調節金具９の他端側、すなわち、ウエスト引き締め方向に付勢されている。これにより、利用者の体型あるいは腹圧にあわせて前記ズボン１のウエストサイズが利用者のウエストサイズに適合するサイズとなる。
一方、利用者が起立姿勢から着座姿勢に移ったり、食事により空腹から満腹になったりすると、利用者のウエストサイズが増大する。このとき、前記ズボン１のウエストサイズを増大させる方向、すなわち、前記ズボン１の前記上生地１ｂと前記下生地１ｃとを離隔する方向へ前記ズボン１のウエスト部１ａに力がかかり、前記上生地１ｂの前記上生地部ボタン穴１ｄが前記ボタン６を一端側に引っ張ることとなる。
前記ボタン６が一端側に引かれると、前記ボタン６が取付けられている前記可動金具３も同時に一端側に引かれる。前記可動金具３は、前記バネ４の付勢力に抗して引かれることにより、一端側にスライド移動する。よって、前記可動金具３のスライドにより前記ボタン６が一端側に移動され、前記ズボン１のウエストサイズが増大される。これにより、前記ズボン１のウエストサイズが利用者のウエストサイズに適合するサイズに調節されることになる。
【００２３】
また、図９（ａ）乃至（ｃ）に示すように、前記ボタン掛止部３ａに取付けてある前記ボタン６を取り外すこともできる。前記ボタン６は、前記リング部６ａを前記ボタン掛止部３ａの前記開口部３ｇより嵌脱自在にして取り付けたものである。図９（ｂ）に示すように、前記ボタン６の前記リング部６ａを前記開口部３ｇより抜脱させることにより、図９（ｃ）のように、前記ボタン６は前記ボタン掛止部３ａより取り外すことができる。また、別のボタンを取り付ける際には、前記開口部３ｇより、別ボタンのリング部を押入させることで取り付けることができ、ボタンの交換が可能となる。これにより、利用者の好みに合わせてボタン部を交換可能とし、ズボン、スカート等のデザインのバリエーションを拡げることができるようになる。
【００２４】
また、前記可動金具３の前記ボタン掛止部３ａに取付けられている前記ボタン６は、前記ボタン６部の前記リング部６ａを介して取付けられている為、前記リング部６ａを支点として一定範囲内において前記ボタン６は可動することができる。これにより、利用者（着衣者）が着衣して、前記ボタン６を前記上生地１ｂの前記上生地部ボタン穴１ｄに掛ける際には、通常市販品のズボンのボタンを掛けるように、容易に嵌めることができるようになる。
【００２５】
本実施例によれば、ズボン、スカート等のウエストサイズの調節を可能とする調節金具において、利用者の好みに合わせて従来からあるリング部を備えたボタン部を交換可能とし、ズボン、スカート等のデザインのバリエーションを拡げることができる。また、ボタンは前記ボタン掛止部に可動自在に取付けられており、通常市販品のボタンを掛けるように、容易に嵌めることができるようになる。
また、樹脂板を有していることから、衣服への取り付け操作が容易に行えるようになるとともに、前記樹脂板はズボンのウエスト部に沿わすことができるようにしたものである為、ズボン等の着用時の着装感は損なわれることはない。
【００２６】
また、本実施例の前記本体ケース２は、図１０に示すように、次の仕様とすることもできる。
所定の板厚の金属板を折曲することにより形成され、上面部２ａ、側面部２ｂ及び端面部２ｃから成るケース状のものである。前記上面部２ａは中央部から前記端面部２ｃにかけて下方に緩やかな曲面を有するもので、中央部より前記端面部２ｃの一端面よりに所定の幅と長さを有する長孔２ｄが設けられている。また前記側面部２ｂは、側面底部２ｅと略台形の側面脚部２ｇを設けるよう切欠部２ｆ及び切欠部２ｈにより切欠されている。また、前記端面部２ｃは、前記側面底部２ｅと同位置により前記本体ケース２の長手方向に折曲され、形成された略楕円形状の取付部となる縫着面部２ｍを有している。前記縫着面部２ｍには、前記本体ケース２の短手方向に沿って、二箇所の略楕円形状の縫着貫通穴２ｎが設けられている。また、前記端面部２ｃと前記縫着面部２ｍの折曲部の中央には、ベース５の脚部嵌合部５ａが嵌合する為の嵌合穴２ｏが設けられている。
【００２７】
このように形成された本実施例の別仕様における本体ケース２を用いた樹脂板付調節金具は、本実施例と同様にして組み立てられ、図１１に示すように、前記縫着貫通穴２ｎを使用し、縫着糸１５により前記樹脂板８に縫着される。この場合においても、前記樹脂板８に限らず、合板、金属板、厚手の生地及び堅い生地等も使用することができる。
【００２８】
また、ウエストサイズを調節する際に、前記実施例１における調節金具７ａの前記可動金具３における前記ボタン掛止部３ａが、前記ズボン１における前記下生地１ｃの前記下生地部ボタン穴１ｅ等との摩擦により、生地が損傷するおそれがある。
生地の損傷を防止することを目的として、図２２（ａ）に示すように、実施例１における前記ボタン掛止部３ａと前記下生地部ボタン穴１ｅ等が摩擦する箇所に、軟質系の樹脂、テープ等を被覆して、実施例１における樹脂被覆ボタン掛止部３ｆとすることができる。また、軟質系の樹脂等に限らず、生地の損傷を防止することができるものであればよいものとする。
【００２９】
また、前記調節金具７の前記ズボン１への取り付け方法においては、カシメ、糸付け及びホットメルト接着剤を用いる等、多種に亘るものであり、限定されるものではない。
【００３０】
また、実施例１における調節金具７ａにおける構成部品（バネ４を除く）においては、金属を用いずに樹脂を用いることもできる。
【００３１】
また、本願発明は上記実施例に限られず、各種のズボン、スカート等のウエスト部を有する衣服においても採用することができるものである。
【図面の簡単な説明】
【００３２】
【図１】本発明の実施例１における調節金具をズボンへ取り付けた際の部分説明図である。
【図２】本発明の実施例１における調節金具の各部品の斜視図である。
【図３】本発明の実施例１における調節金具の部品である本体ケースの（ａ）側面図、及び（ｂ）正面図である。
【図４】本発明の実施例１における調節金具、ボタン及び樹脂板の斜視図である。
【図５】本発明の実施例１における樹脂板付調節金具の斜視図である。
【図６】本発明の実施例１における樹脂板付調節金具の（ａ）正面図、及び（ｂ）底面図である。
【図７】本発明の実施例１における樹脂板付調節金具の（ａ）正面垂直断面図、及び（ｂ）ボタン掛止部に樹脂を被覆させた時の正面垂直断面図である。
【図８】本発明の実施例１における樹脂板付調節金具をズボンへ取り付ける際、ズボンの裏側から見た部分図であり、（ａ）樹脂板付調節金具装着前図、及び（ｂ）樹脂板付調節金具装着後図である。
【図９】本発明の実施例１における樹脂板付調節金具の（ａ）ボタン装着時部分図、（ｂ）ボタン脱着途中部分図、及び（ｃ）ボタン脱着後部分図である。
【図１０】本発明の実施例１における別仕様の調節金具の各部品の斜視図である。
【図１１】本発明の実施例１における別仕様の樹脂板付調節金具の斜視図である。
【図１２】（もとの図２２→図１２）  本発明の（ａ）実施例１における樹脂板付調節金具の樹脂被覆ボタン掛止部拡大断面図である。
【符号の説明】
【００３３】
１    ズボン
１ａ  ウエスト部
１ｂ  上生地
１ｃ  下生地
１ｄ  上生地部ボタン穴
１ｅ  下生地部ボタン穴
１ｆ  表地
１ｇ  裏地
２    本体ケース
２ａ  上面部
２ｂ  側面部
２ｃ  端面部
２ｄ  長孔
２ｅ  底部
２ｆ  切欠部
２ｇ  側面脚部
２ｈ  切欠部
２ｉ  端面直線部
２ｊ  端面脚部
２ｋ  端面底部
２ｌ  溝部
２ｍ  縫着面部
２ｎ  縫着貫通穴
２ｏ  嵌合穴
３    可動金具
３ａ  ボタン掛止部
３ｂ  バネ持設部
３ｃ  側面部
３ｄ  上面部
３ｅ  端面部
３ｆ  樹脂被覆ボタン掛止部
３ｇ  開口部
４    バネ
４ａ  バネ幅
４ｂ  バネ長
４ｃ  バネ高
５    ベース
５ａ  脚部嵌合部
５ｂ  底部嵌合部
５ｃ  切欠嵌合部
５ｄ  側面脚部嵌合部
５ｅ  リブ
６    ボタン
６ａ  リング部
７    調節金具
７ａ  実施例１における調節金具
８    樹脂板
９    樹脂板付調節金具
１５    縫着糸
【図１】
0004563355.tif 000002
【図２】
0004563355.tif 000003
【図３】
0004563355.tif 000004
【図４】
0004563355.tif 000005
【図５】
0004563355.tif 000006
【図６】
0004563355.tif 000007
【図７】
0004563355.tif 000008
【図８】
0004563355.tif 000009
【図９】
0004563355.tif 000010
【図１０】
0004563355.tif 000011
【図１１】
0004563355.tif 000012
【図１２】
0004563355.tif 000013